(57)【要約】  【課題】  本発明は、保温カバーを用いながらも、排水配管の懸架を容易に行うことができる浴室ユニットの提供を目的とする。  【解決手段】  本発明は、裏面にリブを有する防水床パンと、この防水床パンに熱を伝達する温水配管と、この温水配管を覆う保温カバーとを備え、上記保温カバーが、切り起こしを行う切欠を有する浴室ユニットである。また、保温カバーが切欠を複数有する浴室ユニットである。更に、切欠が、略四角形であり、この四角形の３辺を切断され、残りの１辺を未切断とした浴室ユニットである。  【選択図】  図５
2006132256.tif 000002
【特許請求の範囲】
【請求項１】
切り起こしを行うための切欠を複数有し、浴室ユニットの防水床パン裏面に配置する保温カバー。
【請求項２】
防水床パンと、この防水床パンに熱を伝達する温水配管と、この温水配管を覆う保温カバーとを備え、上記保温カバーが、切り起こしを行う切欠を有する浴室ユニット。
【請求項３】
請求項２において、保温カバーが切欠を複数有する浴室ユニット。
【請求項４】
請求項２又は３において、切欠が、四角形又は略四角形であり、この四角形又は略四角形の３辺を切断され、残りの１辺を未切断とした浴室ユニット。
【請求項５】
請求項２乃至４のいずれかにおいて、防水床パンが裏面にリブを有し、切欠を切り起こすことで露出させた上記リブに、排水配管を接続するための配管接続具が固定された浴室ユニット。
【発明の詳細な説明】
【技術分野】
【０００１】
本発明は、浴室ユニットに関するものであり、特に防水パン裏面に設けられる保温カバーに関する。
【背景技術】
【０００２】
浴室ユニットは、天井、壁、床等のユニット化した部材を施工現場にて組み立てて、浴室を形成するものであり、在来工法よりも施工期間を短縮できることから、広く用いられている。
また、近年では、入浴時に床が冷たいのを嫌い、床暖房を行える浴室ユニットに対するニーズも多くなり、熱媒体として電熱線又は温水を用いたものが製造販売されている。
【０００３】
図１は、温水を用いて床暖房を行う防水床パンの裏面図である。防水床パン１の裏面には、縦横に複数のリブ２を設けてあり、このリブ２により強度を上げるようにしている。床暖房は、温水を通す通水管３を防水床パン１の裏面に這わせることにより行われ、熱が、温水から通水管３から防水床パン１の表面へと伝達される。
【０００４】
通水管３は、防水床パン１の裏面に直接接着する場合、通水管３の通過する部分のリブ２を切り欠いて接着作業を行うこととなる。更に、熱伝達の効率を上げるために、アルミ箔等の熱伝達率の高い金属を介して通水管３を接着することもある。
【特許文献１】特開２００４−２０５０８９
【発明の開示】
【発明が解決しようとする課題】
【０００５】
ところで、防水床パンの下面は、吹き抜けになっていることが多く、湿気がこもらないように、外気と連通させておくことが行われ、床暖房が望まれる冬季には気温の低い冷気に直接触れることとなる。そのため、通水管内の温水は、通水管が直接外気に触れることで温度が下がり、十分に床暖房を行えないことがある。
【０００６】
このような場合は、通水管が直接外気に触れないように、保温カバーにて通水管を覆うことにより対応することが可能であるが、保温カバーを使用すると、防水床パンの裏面に設けたリブが隠れてしまい、このリブに懸架させる排水配管の接続が困難になってしまう。
【０００７】
より詳細に説明すると、浴室ユニットに用いられる排水配管は、浴槽水、洗い場排水、洗い場周囲に配置される樋排水等の排水を、屋外に排出するものであり、床下の無効容積を小さくするために、配管勾配を緩やかにしている。具体的には、勾配１／５０〜１／１００程度のものが多く、このような緩やかな傾斜角度を維持するために、配管固定の対象物が容易には動かないものである必要がある。そのため、排水配管は、保温カバー等の動きやすいものにではなく、防水床パン裏面に設けたリブに直接又は間接的に固定する必要がある。
【０００８】
本発明は、保温カバーを用いながらも、排水配管の懸架を容易に行うことができる浴室ユニットの提供を目的とする。
【課題を解決するための手段】
【０００９】
（１）本発明は、切り起こしを行うための切欠を複数有し、浴室ユニットの防水床パン裏面に配置する保温カバーである。
（２）また、本発明は、防水床パンと、この防水床パンに熱を伝達する温水配管と、この温水配管を覆う保温カバーとを備え、上記保温カバーが、切り起こしを行う切欠を有する浴室ユニットである。
（３）項（２）において、保温カバーが切欠を複数有する浴室ユニット。
（４）項（２）又は（３）において、切欠が、四角形又は略四角形であり、この四角形又は略四角形の３辺を切断され、残りの１辺を未切断とした浴室ユニット。
（５）項（２）乃至（４）のいずれかにおいて、防水床パンが裏面にリブを有し、切欠を切り起こすことで露出させた上記リブに、排水配管を接続するための配管接続具が固定された浴室ユニット。
【発明の効果】
【００１０】
本発明によれば、保温カバーが、切り起こしを行う切欠を有することから、排水配管の固定を行う際にこの切欠を切り起こし、容易に排水配管の固定ができる。
また、切欠を複数設けておくことにより、必要な箇所のみ切り起こすことができ、保温損失を最小限に留めることができると共に、施工現場にて寸法を測り保温カバーに孔をあけるという煩雑な作業を廃止することができる。
更に、切欠を略四角形とした場合には、切り起こし箇所の外観が比較的損なわれず、リブへ配管を固定する際には固定部の目視確認が行い易く、作業性が良い。
配管接続具を使用する場合は、配管を固定する際にリブにねじ固定が可能であり、組立時間の短縮、コストの低減ができる。
【発明を実施するための最良の形態】
【００１１】
本発明に用いる防水床パンは、裏面にリブを有するものであり、その周囲に浴室壁を載置する壁載置面を有することが好ましい。
また、防水床パンは、洗い場と浴槽載置場との両方を有するものであっても、洗い場用防水床パンと、浴槽載置場用防水床パンとを、接続したものでもよく、一体成形品と分割組立品とを区別するものではない。
防水床パン裏面のリブは、その配置、大きさ、形状等を制限されるものではないが、配置は縦横に直交するようにすることが好ましく、直交リブとすることで最小限の材料で強度を保つことができる。
リブの大きさは、防水床パン裏面からの高さ５０ｍｍ〜１００ｍｍとすることが好ましく、これよりも低いと荷重強度が低くなり、割れ、異音等を生じやすくなり、これよりも高いと建築のバリアフリー化を目的とした低い設置高さへの対応が困難となり、また材料費によりコストアップとなる。リブの厚みは、２ｍｍ〜４ｍｍとすることが好ましく、これよりも薄いと荷重によりリブが割れて異音を生じ易くなり、これよりも厚いと成形外観にヒケを生じやすくなる。リブの長さは、防水床パンの裏面の長辺又は短辺と略同一長さであることが強度面から好ましい。但し、リブの長さ全体にわたり防水床パン裏面からの高さを揃える必要はなく、防水床パンの周囲では高さを低くすることにより、建築の梁を避けるようにしても良い。
【００１２】
本発明に用いる温水配管は、温水を通しこの温水の熱を伝達するものであれば特に制限されるものではなく、好ましくは自在に曲げることができるフレキシブル配管であることが好ましい。
温水配管は、具体的には銅管や、架橋ポリエチレン管、ポリブテン管等の樹脂管を用いることができる。
温水配管の設置は、防水床パン裏面、この裏面に設けたリブ、上記防水床パン又はリブに接続された部材に対し行われ、具体的には、温水配管がリブのみに接するように配置しても、リブを切り欠くことにより、リブと防水床パン裏面とに接するように設置しても良い。
温水配管の固定は、溶着、接着、固定部材を用いた接続固定のどの方法を用いても良く、施工が容易で短時間に行える接着剤を用いた接着が好ましい。
温水配管と防水床パンとは、直接接するようにしても良いが、間に熱伝導率の高い金属箔を介しても良く、具体的には、リブから防水床パン裏面まで連続する金属箔を接着し、この金属箔に対して温水配管を接着することができる。
【００１３】
本発明に用いる保温カバーは、温水配管を覆うことにより、温水配管が直接外気に触れないようにすることができるものであれば良く、具体的には、プラスチックダンボール、ダンボール、発泡スチロール板、鋼板等を用いることができる。特にプラスチックダンボールを用いた場合には、安価で、断熱性能が高く、加工性に優れ、水に強いので好ましく用いることができる。
また、本発明に用いる保温カバーには、切欠が設けられており、施工現場にてこの切欠を切り起こすことで防水床パン裏面のリブを露出させ、このリブに対して配管接続を行える。
【００１４】
保温カバーに設けられる切欠は、１つでも、複数でも良く、施工現場により配管位置が変化することを考え、配管接続箇所の想定部位である複数箇所に切欠を設けることが好ましい。
切欠の形状は、特に限定されるものではなく、切り起こしを行えるものであれば良い。切欠は、切欠の形状を四角形として説明すると、四角形を構成する四辺の中の一辺を切断せず、他の三辺を切断したものが使用できる。また、３辺は、完全に切断することなく、ミシン目として残すこともでき、辺の中に一部に切断されていない未切断部分を残すこともできる。ミシン目又は未切断部分を残した場合は、切断した場合と同様に容易に切り起こしを行えると共に、保温カバーを搬送する際に、切欠が不用意に切り起こされることがない。
切欠の形状は、四角形以外に、四角形の角部又は辺が丸みを帯びた略四角形、平行四辺形、台形、菱形、三角形、多角形、楕円形、円形、半円形等の形状を用いることができる。図２は、切欠を三角形とした例を示しており、三辺の中の２辺を切断している。また、図３は、切欠を半円形とした例を示しており、円弧の部分を切断している。
【００１５】
本発明に用いる配管接続具は、一端をリブに接続され、他端に配管を接続可能であればよく、特に限定されるものではない。リブへの固定は、溶着、接着、ねじ固定等により行われ、配管の接続は、同じく溶着、接着、ねじ固定等により行える。また、配管接続は、配管を支える環により行っても良い。
【実施例】
【００１６】
以下、本発明の実施例について図面を用いて説明する。
図４は、本発明の１実施例である浴室ユニットに用いられる防水床パンの裏面図である。防水床パン１の裏面には、縦方向及び横方向に複数のリブ２を設けてあり、このリブ２を切り欠くことなく架橋ポリエチレン製の温水配管１３を這わせるようにしている。また、この温水配管１３は、プラスチックダンボール製の保温カバー４によりその大部分を覆うようにしてある。
浴室ユニット内にて発生した排水は、排水トラップ５を介して排水配管６を通り、系外に排出される。
【００１７】
図５は、温水配管及び排水配管の接続構造を示す断面図である。防水床パン１の裏面に設置してあるリブ２間には、両面テープ１２によりアルミ箔１１が接着固定されており、このアルミ箔１１に対して温水配管１３を接着固定している。
また、アルミ箔１１だけでは、強度が持たないので、強度を持たせると共に保温を考え、発泡スチロール１０により支えるようにしている。
【００１８】
実際の施工においては、アルミ箔１１と発泡スチロール１０との間に通水管３を挟持させた部材を、裏面に両面テープを貼った防水床パン１に押しつけ接着固定するので、施工時間が短くでき、リブ２を切り欠く必要もない。
【００１９】
温水配管１３の内部には、温水を通すことにより、熱が、温水、温水配管、アルミ箔、防水床パン裏面、防水床パン表面と順番に伝わり、使用者が冬季に浴室へ入室しても、床からの冷たさを感じることがなくなる。尚、温水配管１３に通す温水は、浴槽に湯張りする湯を供給する燃焼機、給湯機等から供給させることができ、温水の代わりに不凍液を加温した熱媒体を使用してもよい。
【００２０】
温水配管１３は、その全ての箇所にて発泡スチロール１０により覆われるものではなく、温水配管１３の延びる方向に直交するリブがある部分においては、アルミ箔１１及び発泡スチロール１０がないので、そのままでは外気に曝されることとなる。そのため、温水配管１３が直接外気に触れる面積を減らすために、防水床パン１の裏面には、保温カバー４が配置されている。
尚、保温カバー４には、詳細に後述する切欠が四箇所設けられており（図４の切欠８ｂ参照）、浴室ユニットを設置する場所の排水事情により、任意の切り起こし部８ａを切り起こし、排水配管６が配管接続具７を用いてリブ２に固定される。
【００２１】
図６は、配管接続箇所の拡大斜視図である。排水配管６の固定について詳細に述べると、配管接続具７は、取り付ける場所の切り起こし部８ａを折り曲げて切り起こし、内部のリブ２を露出させることで設置する。配管接続具７は、排水配管を保持する環状の部分と、この環状の部分から延出されたねじ止めを行う分部とを有し、このねじ止めを行う部分を左右に広げることで、環状の部分が広がり、排水配管を挿入することができる。
【００２２】
排水配管の施工は、配管接続具７に対して排水配管６を設置し、最後に配管接続具７とリブ２とをねじ９により接続して行うが、先に配管接続具７をリブ２にねじ止めしてから、配管接続具７の環状部分に排水配管を通すようにしてもよい。
【００２３】
切り起こし部８ａは、単に切り起こすだけでなく、切断しても良いが、ゴミが発生することからそのまま放置することが好ましく、この切り起こし部８ａが排水配管６に接触しても、排水配管６が配管接続具７を介してリブ２に強固に固定されているので、排水配管の傾斜角度に影響を与えることはない。
【図面の簡単な説明】
【００２４】
【図１】従来例である浴室ユニットに用いる防水床パンの裏面図である。
【図２】本発明の１実施例である保温カバーに設けた切欠の拡大斜視図である。
【図３】本発明の他の１実施例である保温カバーに設けた切欠の拡大斜視図である。
【図４】本発明の１実施例である防水床パンの裏面図である。
【図５】図４に示す防水床パンの一部拡大断面図である。
【図６】図４に示す防水床パンの裏面一部拡大斜視図である。
【符号の説明】
【００２５】
１…防水床パン、２…リブ、３…通水管、４…保温カバー、５…排水トラップ、６…排水配管、７…配管接続具、８ａ…切り起こし部、８ｂ…切欠、９…ねじ、１０…発泡スチロール、１１…アルミ箔、１２…両面テープ、１３…温水配管
【図１】
2006132256.tif 000003
【図２】
2006132256.tif 000004
【図３】
2006132256.tif 000005
【図４】
2006132256.tif 000006
【図５】
2006132256.tif 000007
【図６】
2006132256.tif 000008